(57)【要約】【課題】  複数の戒名標を横方向に整列させて立座させることができ、しかも戒名を字彫りする時には所望の戒名標のみを簡単に取り出すことができる新規な構造の霊標を提供する。【解決手段】  傘石２と土台石１との間に、複数の戒名標５を列状に立座させた霊標において、戒名標５は、それぞれの脚部に取出孔５ａを形成した構造とされており、その頭部を、傘石２に形成した凹所２ａに嵌入させ、かつその脚部を、土台石に取り外し可能とした幅木材６で固定させた構造にしている。【選択図】  図１
2005188215.tif 000002
【特許請求の範囲】
【請求項１】
傘石と土台石との間に、複数の戒名標を列状に立座させた霊標において、
前記戒名標は、頭部の下方に取出孔を形成した脚部を有した構造とされており、
上記頭部を上記傘石に形成した凹所に嵌入させるとともに、上記脚部を幅木材によって上記土台石に取り外し可能に固定させた構造にしていることを特徴とする霊標。
【請求項２】
請求項１において、
前記幅木材と、上記土台石とは、対応して形成された突起、凹部を嵌入することによって固定する構造にしている霊標。
【請求項３】
請求項１、２のいずれかにおいて、
上記戒名標は、それぞれの背面を対向させた状態で、２列に立座している霊標。
【請求項４】
請求項３において、
上記２列に立座された戒名標は、互いに他の列の霊標の切目が隠蔽されるように、千鳥状に配列されている霊標。
【請求項５】
請求項１〜４のいずれかにおいて、
上記戒名標の少なくとも一方端には、表札石が組み込まれている霊標。
【発明の詳細な説明】
【技術分野】
【０００１】
本発明は、複数枚の戒名標を列状に立座させた構造の霊標に関するものである。
【背景技術】
【０００２】
従来の１枚板の霊標に代わって、複数枚の戒名標を列状に立設した霊標が字彫り、施工時の便利さなどから使用されているが、従来の構造のものは、傘石１０１と土台石１０２とを上下に設け、その両側に２つの柱石１０３、１０４を箱組みして固着一体化して枠体１１２を形成し、戒名板１０５を片側の柱石１０４から挿入できるように、傘石１０１と土台石１０２にそれぞれ一本又は複数の並列した所定の深さで統一した溝１０８を設けて、柱石１０４の貫通した穴１１１から１つ又は複数の並列した溝１０８に字彫りした戒名板１０５を挿入して挿脱自在にしている（例えば、特許文献１参照）。
【０００３】
ところが、このようなものでは、柱石１０４の貫通した穴１１１から複数の並列した溝１０８に戒名板１０５を出し入れする構造なので、その作業が面倒である上に、柱石１０４に貫通した穴１１１を設けているので、柱石１０４も構造的に弱くなるという問題があった。また、傘石１０１と土台石１０２には複数の並列した溝１０８を設け、この複数の溝１０８の一つ一つに戒名板１０５を挿入するので、これら複数の戒名板１０５の並び方がばらついてしまうという問題もあった。
【特許文献１】特開平１１−７１９４０号公報
【発明の開示】
【発明が解決しようとする課題】
【０００４】
本発明は、上記従来の問題を解消し、複数の戒名標を横方向に整列状態に立座させることができ、しかも簡単な構造の幅木材を用いて取り付け、取り外しができる上に、取り外すときには、この幅木材を取り外してから、各戒名標に形成した取出孔に指を差し入れて手前側に引き出すだけでよく、字彫り時の作業性に優れた霊標を提供することを目的としている。
【課題を解決するための手段】
【０００５】
したがって、本発明は、上記課題を解決するために提案されたものであって、請求項１に記載の発明は、傘石と土台石との間に、複数の戒名標を列状に立座させた構造の霊標において、前記戒名標は、それぞれの脚部に取出孔を形成した構造とされ、かつ、それぞれの頭部を上記傘石に形成した凹所に嵌入させるとともに、それぞれの脚部を幅木材で上記土台石に取り外し可能に固定させた構造にしていることを特徴としている。
【０００６】
このような構造では、幅木材を土台石から取り外すと、戒名標の脚部が露見するので、所望の戒名標の取出孔に指を差し入れて、戒名標の脚部を前方に引き出せば、戒名標の頭部も傘石の凹所から抜け出し、戒名標を簡単に取り出すことができる。
また、戒名標を傘石と土台石との間に収容固定するときには、幅木材を土台石から取り外した状態で、戒名標の頭部を傘石の凹所に挿入して、傘石と土台石との間に立座させ、最後に幅木石を土台石に嵌入れ固定するだけで簡単に収容固定することができる。
しかも、取出孔は外観上は隠蔽され、戒名標は威厳のある姿で立座していることとなる。尚、幅木材は、石材以外に木材、貴金属などで形成してもよい。
【０００７】
請求項２に記載の霊標は、請求項１において、前記幅木材と、上記土台石とは、対応して形成された突起、凹部を嵌入れることによって固定させる構造にしている。
【０００８】
さらに、請求項３に記載の霊標は、請求項１、２のいずれかにおいて、上記戒名標は、それぞれの背面を対向させた状態で２列に立座させた構造になっているので、1基の墓標により多くの戒名を字彫りすることができる。
【０００９】
請求項４に記載の霊標は、請求項３において、上記２列に立座された戒名標は、互いに他の列の霊標の切目が隠蔽されるように、千鳥状に配列されている。
【００１０】
更に、請求項５に記載の発明は、請求項１〜４のいずれかにおいて、上記戒名標の少なくとも一方端には、柱石が組み込まれている。
【００１１】
このような構造では、名札石に、家紋や家名などを刻設するなどして霊標の表札となすことができる。また、柱石を他の部分と異なる化粧材で形成することもでき、土台石、傘石を御影石で構成し、更に、柱石を大理石で構成するなどしていろんな形態を取ることができる。
【発明の効果】
【００１２】
請求項１に記載の発明によれば、幅木材を土台石から取り外すと、戒名標の脚部が露見するので、所望の戒名票の取出孔に指を差し入れて、戒名標の脚部を引き出せば、戒名標の頭部も傘石の凹所から抜け出し、戒名標の全体を簡単に取り出すことが出来る。
【００１３】
また、戒名票を傘石と土台石との間に収容固定するときには、幅木材を土台石から取り外した状態で、戒名標の頭部を傘石の凹所に挿入し、傘石と土台石との間に立座させ、最後に幅木材を土台石に嵌入れればよく、取出孔は外観上は隠蔽されているため、外観上不自然さもなく、霊標としての威厳が保てる。
【００１４】
請求項２に記載の発明によれば、いずれか一方に突起を、他方に凹部を形成し、それらを嵌めいれることで幅木材と土台石とを固定しているので、この固定作業を簡単に行うことができる。
【００１５】
請求項３に記載の発明によれば、表面側と裏面側に２列に立座させるため、１基当たりに字彫り出来る戒名を増大することが出来る。
【００１６】
請求項４に記載の発明によれば、表面側及び裏面側から戒名標の切れ目が隠避されるので不自然さがなく、威厳を保つことができる。
【００１７】
請求項５に記載の発明によれば、柱石には、家紋や家名などを刻設するなどして霊標の表札となすことができる。また、柱石を他の部分と異なる化粧材などで形成すれば、従来にない豪華で威厳のある霊標となる。
【発明を実施するための最良の形態】
【００１８】
以下、本発明に係る霊標の実施の形態について、図を参照しつつ説明する。
【００１９】
図１は本発明の霊標の第１実施形態を示す分解斜視図、図２は図１に示す霊標を組み立てた状態の斜視図、図３は図２の状態の霊標の要部の部分拡大断面図、図４（ａ）は図２に示す霊標の縦断面図、（ｂ）は（ａ）の状態から幅木材を取り外して戒名標を取り出すときの状態の縦断面図、図５は戒名標の上部が異なる形状の別例を示す縦断面図である。
【００２０】
第１実施形態の霊標は、図１に示すように、土台石１と、傘石２と、土台石１と傘石２の間に配置される柱石３、４と、柱石３，４の間に横方向に配設される複数の戒名標５と、これらの戒名標５を前側から保持する幅木材６とから構成されている。戒名標５は、頭部５ｂと、取出孔５ａを形成した脚部５ｃとを有している。
この戒名標５の頭部は、傘石２に形成された凹所２ａ（図４参照）に嵌め入れられ、かつその脚部を土台石１に取り外し可能とした幅木材６で固定される。このため、土台石１には左右一対の凹部１ａが設けられ、幅木材６にはその対応する箇所に左右一対の突起６ａが設けられている。
【００２１】
戒名標５は、図１の状態から図２に示すように、幅木材６の左右一対の突起６ａを土台石１の左右一対の凹部１ａに嵌め入れることによって取り付け固定され、幅木材６は、図３に示すように、戒名標５の裏側にも土台石１に対して取り付け取り外し可能に取り付けられている。
【００２２】
戒名標５の上端は、図４（ａ）（ｂ）に示すように、斜め向きに円弧状に切り落とされた切欠部を有しており、傘石２からスムーズな取り外しが出来るようになっている。
【００２３】
したがって、この第１実施形態によれば、幅木材６を土台石１から取り外すと、すべての戒名標５の脚部５ｃが露見するので、所望の戒名標５の取出孔５ａに指を差し入れて、戒名標５の脚部５ｃを引き出せば、戒名標５の頭部５ｂも傘石２の凹所２ａから抜け出し、所望の戒名標５のみを取り出すことが出来る。
一方、戒名標５を傘石２と土台石１との間に収容固定するときには、幅木材６を土台石１から取り外し、戒名標５の頭部を傘石２の凹所に挿入して、傘石２と土台石１との間に立座させ、最後に幅木材６を土台石１に嵌入れればよい。このような構造によれば、取出孔５ａは取り外し時以外は外観上は隠蔽されるので、戒名標５は威厳のある姿で立座することができる。
【００２４】
また、戒名標５に突起を、土台石１に凹部１ａを形成し、それらを嵌めいれることで幅木材６と土台石１とを固定しているので、この固定作業を簡単に行うことができる。尚、土台石１に突起を設け、戒名標５に凹部１ａを設けて互いに嵌め入れるようにしてもよいことは勿論である。また、幅木材６は、石材以外に木材、貴金属などで形成してもよい。
【００２５】
図６は第２実施形態の霊標の斜視図、図７は図６に示す霊標における傘石を取り外した状態の平面図、図８は図７に示す霊標の別例を示す平面図、図９は図６の状態の霊標から柱石を取り外す際の状態を示す斜視図、図１０は図９に示す霊標の状態から土台石の一部を取り外した際の部分斜視図、図１１は図９の霊標から傘石を取り外した状態の部分平面図である。
【００２６】
この第２実施形態の霊標は、図６、図７に示すように、戒名標５がそれぞれ背面を対向させた状態で前後位置に２列に立設され、これらの戒名標５、５は、それぞれの列において、他の列の切れ目５ｄが遮蔽されるように千鳥状に配列されている。更に、前後２列の戒名標５、５の間には、ゴム材等の防水材７が介在され、後側の戒名標５の後側面にも幅木材６が取り外し可能に取り付けられている。
【００２７】
したがって、このような第２実施形態によれば、表面側と裏面側に２列の戒名標５、５が立設されているので、戒名標５の数を多くすることができる。
しかも、これらの戒名標５、５がそれぞれの列において、他の切れ目５ｄが遮蔽されるように千鳥状に配列されているので、表面側及び裏面側から見ても不自然な切れ目５ｄが見えず、しかも、防水材７を介在させたことによって、表面側又は裏面側からの水分の浸入も防ぐことができる。
【００２８】
また、図８に示すのは、表面側及び裏面側の戒名標５、５の表面及び裏面に透明プラスチックやガラスからなる保護カバー８、８を配設しているものである。
これによると、保護カバー８、８によって、戒名標５、５が雨風に晒されたり、ホコリが付着すること、更に直接傷等の損傷が付くことを防止でき、また、透明なので見栄えも良い。
【００２９】
また、この第２実施形態の霊標は、図９、図１０、図１１に示すように、土台石１における柱石３、４の位置する箇所が両側に外れるように別体になっていて、別体になった割り石９、９が取り外し可能に構成されている。
そして、これらの割り石９、９の割り面と土台石１の割り面とに半割り溝１ｂ、９ｂが穿設されている一方、柱石３、４の下端面に下側に突き出た臍３ａ、４ａが設けられ、土台石１と割り石９、９とを合わせた状態で、合わせられた半割り溝１ｂ、９ｂに柱石３、４の臍３ａ、４ａが入り込むようになっている。
【００３０】
したがって、このような構造によれば、割り石９、９を取り除くことによって、柱石３、４を取り外しすることができ、柱石３、４を交換することもできる。柱石３、４のいずれか一方に家紋１０や家名などを刻設するなどして霊標の表札石４´となすことができる。
また、柱石３、４を他の部分と異なる化粧材で形成することもできる。例えば、土台石１と傘石２を御影石で構成し、柱石３、４を大理石で構成することもでき、霊標をより豪華にドレスアップすることができる。しかしながら、土台石１は、図１１Ａに示したように、一枚石で形成し、その前面には蓮の花などの文様を施してもよい。
【図面の簡単な説明】
【００３１】
【図１】本発明の霊標の第１実施形態を示す分解斜視図である。
【図２】図１に示す霊標を組み立てた状態の斜視図である。
【図３】図２の状態の霊標の要部の部分拡大断面図である。
【図４】（ａ）は図２の状態から幅木材を取り外して戒名標を取り出すときの状態の縦断面図、（ｂ）は（ａ）の状態から幅木材を取り外して戒名標を取り出すときの状態の縦断面図である。
【図５】戒名標の上部が異なる形状の別例を示す縦断面図である。
【図６】第２実施形態の霊標の斜視図である。
【図７】図６に示す霊標における傘石を取り外した状態の平面図である。
【図８】図７に示す霊標の別例を示す平面図である。
【図９】図６の状態の霊標から柱石を取り外す際の状態を示す斜視図である。
【図１０】図９に示す霊標の状態から土台石の一部を取り外した際の部分斜視図である。
【図１１】図９の霊標から傘石を取り外した状態の部分平面図である。
【図１１Ａ】本発明の霊標の更に別例を示す図である。
【図１２】従来の霊標の正面図である。
【図１３】図１２に示す霊標の戒名板の斜視図である。
【図１４】図１２に示す柱石を横向きにした状態の斜視図である。
【図１５】図１２に示す土台石の斜視図である。
【符号の説明】
【００３２】
１      土台石
１ａ    凹部
１ｂ    半割り溝
２      傘石
２ａ    凹所
３、４      柱石
３ａ    臍
４´      表札石
５      戒名標
５ａ    取出孔
５ｂ    頭部
５ｃ    脚部
５ｄ    切れ目
６      幅木材
６ａ    突起
７      防水材
８      保護カバー
９      割り石
９ｂ    半割り溝
【図１】
2005188215.tif 000003
【図２】
2005188215.tif 000004
【図３】
2005188215.tif 000005
【図４】
2005188215.tif 000006
【図５】
2005188215.tif 000007
【図６】
2005188215.tif 000008
【図７】
2005188215.tif 000009
【図８】
2005188215.tif 000010
【図９】
2005188215.tif 000011
【図１０】
2005188215.tif 000012
【図１１】
2005188215.tif 000013
【図１１Ａ】
2005188215.tif 000014
【図１２】
2005188215.tif 000015
【図１３】
2005188215.tif 000016
【図１４】
2005188215.tif 000017
【図１５】
2005188215.tif 000018